(57)【要約】      （修正有）【課題】雑菌の発生及び男性特有の男性器周辺の蒸れ感の軽減、皮膚接触面の通気性を確保し男性皮膚疾患を軽減させるため檜セパレーターを提供する。【解決手段】表面を活性炭、背面が檜で構成されている薄板、厚さ（約６ｍｍ）に陰茎を通す穴Ｂ、ゴムひもを通す穴Ｅ１，Ｅ２を設ける。Ｂ穴に陰茎を通し抗菌ゴムＣを一方を睾丸部に、もう一方のゴムを陰茎の上部から通しゴム止めＤにひっかけ固定する。簡素な仕組みではあるが、この板により陰茎部と睾丸部を分離出来て飛躍に雑菌の発生を軽減できる。【選択図】図１
0003141921.tif 000002
【実用新案登録請求の範囲】
【請求項１】
男性器に装着した二層から成る板表面の効果による雑菌発生の減少と男性皮膚疾患の予防を特徴とする器具。
【請求項２】
男性器に装着した二層から成る板裏面の効果による脱臭効果と湿度低下による蒸れ感の緩和を特徴とする器具。
【考案の詳細な説明】
【技術分野】
【０００１】この考案は男性器の持つ特殊で複雑な形状及び皮膚の収縮が及ぼす雑菌の発生および男性器周辺の蒸れ感の軽減、また男性皮膚疾患の予防及び軽減を図る事を目的とする。
【背景技術】
【０００２】近来、男性器周辺皮膚疾患の対策は、皮膚疾患症状発生後の処置に重点がおかれ予防の観点が抜け落ちていた。
男性器周辺皮膚疾患発生後の多くの治療法は、ジェル状薬の塗布でステロイド軟膏に代表されるような現行の皮膚用軟膏は、ジェル状でべとつき感が大きく男性器への塗布は不快感を伴うと言える。【０００３】現代生活における男性器は絶えず下着、および衣類に隠蔽され絶えず年間を通して高温多湿を余儀無くされており、一般的日常生活で最も不潔になりがちな部位である。【０００４】また、一般社会通念上の観念から男性器部位は入浴時以外絶えず衣類、下着等に覆われ続けなければならない部位であるため、通気性が非常に悪く他の皮膚部位に比べ足指部と並んで皮膚疾患の発生の非常に高い部位と言える。
治療法は皮膚表面に通気性が期待できないため、他の部位と比べ長時間の治療時間を要している。【０００５】男性器部位の社会的通念（恥ずかしいという意識）からもたらされるこの状況は、男性器部位を新鮮な空気に，さらさせない為に雑菌等が発生しやすく諸処の皮膚疾患冒されやすい状況にあると言える。【０００６】同様の解り易い例として現代病と言われている足指間部の白癬菌（水虫）があるがこれは、現代人の靴及び靴下の着用による空気の流れの遮断、及び足指間部の圧迫及び不潔状態が起因している事は、周知の事実である。【０００７】元来、男性器の形状は陰茎図３Ａ部と睾丸Ｂ部がたえず重なり合い密着しあっており空気流通が成されず高温多湿で特に発汗後など空気が遮断されているため非常に雑菌の発生しやすい環境に置かれていると言える。
通常の社会生活行為（労働、学業等）の中では発汗し不潔な状態になったとしてもすぐに入浴、シャワー等の行為で清潔を確保する事は一般社会生活では極めて難しいと言える。
このような現代社会のあり方の中ででは男性陰部は、恥辱心が優先してしまう感情、精神的要因として考えられるが、男性器付近の皮膚疾患に対して適切な予防措置がとられていないのが現状と言える。
【考案の開示】
【考案が解決しようとする課題】
【０００８】絶えず密着をよぎなくされる男性器図３Ａ部とＢ部に空間を設け、空気の流れを促し、男性器周辺の湿度を低下させ、雑菌の発生等を減少させ男性器周辺の快適性を向上させる事を課題とする。
【課題を解決するための手段】
【０００９】以上の課題を解決するために男性器，陰茎と睾丸部の間に吸湿性のある檜材及び消臭および殺菌効果を保持する活性炭を挟み込む事で雑菌発生の減少、及び湿度の低下男性器周辺の独特の“蒸れ間”を軽減する。
【考案の効果】
【００１０】この檜セパレーターを装着することで、今まで密着を余儀無くされていた皮膚部位の密着が改善され、より通気性を確保し清潔な環境を生むことができ、男性器周辺皮膚疾患の予防に役立つ。
自力入浴の困難な入院患者、低開発国の劣悪な生活環境を強いられている人々不衛生かつ多量の発汗をよぎなくされる労働、及び日本人的入浴習慣を持たず不清潔になりがちな人々の男性器部位の衛生環境の向上が期待できる。【００１１】このような予防措置を講ずれば男性器周辺皮膚疾患が減少することで現行日本の財政を圧迫する医療費をわずかながら軽減し国の一助となる。
また、この檜セパレーターの材料となる、“檜”には檜チオール、檜風呂等の効能から更に殺菌効能のあることは学術的に認知されていると言える。【００１２】また日本では檜は住宅建築に多く用いられており、住宅建材に使用された後の間伐材で容易に調達でき、しかも安価に調達することが出来るため、地球資源に負荷をあたえない。
【考案を実施するための最良の形態】
【０００１３】この考案の一実施形態を図１に示す。
檜セパレーター本体表面図１Ａ部は活性炭材  （消臭、吸湿）
本体背面図２▲ａ▼部は檜材の２層構造になっている。
【実施形態の効果】
【００１４】この実施形態によれば、檜セパレーターを装着したことにより陰茎と睾丸の間に空間が生まれ通気性が保たれ“蒸れ感”を軽減できる。
又発汗の吸収、および雑菌の発生の減少を促がす事が出きる。
【他の実施形態】
【００１５】図１の実施形態では活性炭と檜の２層構造だが、より通気性及び吸湿力の良い木材、たとえば“桐材及び殺菌効果の確認されている竹材も使用出来る。
【００１６】又、触覚冷感を持つ大理石も有効な素材である。
【図面の簡単な説明】
【００１７】
【図１】この考案の実施形態を示す斜視図である。〔符号の説明〕全体の大きさは縦幅約８ｃｍ横幅約７ｃｍ厚さ約６ｍｍを基本とする。Ａの材質は活性炭材で厚さは約３ｍｍ  Ｂは陰茎を通す穴、使用者の個体差があるので直径約３〜５ｃｍ程度。Ｃは抗菌性ゴム図５に記した様に睾丸の後ろを通す。使用者の個体差があるため約２０〜２５ｃｍ  Ｄはゴム留め。陰茎の上から通しこのゴム留めにひっかけ止める。Ｅ１，Ｅ２，はゴムひもを通す穴。
【図２】檜セパレーターの背面図である。〔符号の説明〕▲ａ▼は、厚さ約３ｍｍの檜材で通気の為の小穴直径１〜１５ｍｍ図２ｂが２０〜３０個程度開けられている。この小穴の作用で図１Ａの活性炭による吸湿効果がより期待できる。
【図３】陰茎及び睾丸部位の絶えず重なり合い皮膚同士が密着を余儀なくされ雑菌の発生しやすい部位。（鎖線部）〔符号の説明〕（男性器の陰茎Ｂ部と睾丸Ａ部は絶えず接触を余儀なくされている。）１は陰茎、２は睾丸を示す。
【図４】〔符号の説明〕Ｎ陰茎を図１Ｂに通し檜セパレーターを装着した状態を示す。抗菌ゴムは図１Ｄに引っかけられている為、尿道を圧迫することがない。
【図５】は檜セパレーターを装着した状態を側面からみた図である。〔符号の説明〕ａは（前面図１Ａ活性炭の消臭及び吸湿効果）を得る為の小穴  Ｄはゴム留め  １は陰茎、２は睾丸を示す。
【図１】
0003141921.tif 000003
【図２】
0003141921.tif 000004
【図３】
0003141921.tif 000005
【図４】
0003141921.tif 000006
【図５】
0003141921.tif 000007
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
小穴のあけられた檜板材及び活性炭材の二層から形成された矩形の板を男性器に装着した事による男性器周辺皮膚疾患の予防効果及び雑菌発生の減少を特徴とする檜セパレーター。
【請求項２】
前記記載の活性炭材、及び小穴のあけられた檜板材の二層から形成された矩形の板を男性器に装着した事による脱臭効果及び蒸れ間の緩和効果を特徴とする檜セパレーター。
【手続補正書】
【提出日】平成20年2月22日(2008.2.22)
【手続補正１】
【補正対象書類名】実用新案登録請求の範囲
【補正対象項目名】全文
【補正方法】変更
【補正の内容】
【実用新案登録請求の範囲】
【請求項１】
小穴のあけられた檜板材及び活性炭材の二層から形成された矩形の板を男性器に装着した事による男性器周辺皮膚疾患の予防効果及び雑菌発生の減少を特徴とする檜セパレーター。
【請求項２】
小穴のあけられた檜板材及び活性炭材の二層から形成された矩形の板を男性器に装着した事による脱臭効果及び蒸れ間の緩和効果を特徴とする檜セパレーター。